(57)【要約】【課題】収差補正対応レンズにおいて、収差補正非対応カメラに取り付けられた時、撮影者の意図しない収差の多く出た画像が撮影されないようにした交換レンズを提供すること。 【解決手段】カメラ本体に着脱可能な交換レンズであってカメラと通信を行う通信部と装着されたカメラが収差補正対応カメラか否かを検出するカメラ識別手段とカメラ識別手段が収差補正非対応カメラと識別した際には撮影不可状態となることを特徴とする。【選択図】図１
2018005130.tif 000002
【特許請求の範囲】
【請求項１】
カメラ本体に着脱可能な交換レンズであって、
カメラと通信を行う通信部と、
装着されたカメラが収差補正対応カメラか否かを識別するカメラ識別手段と、
カメラ識別手段が収差補正非対応カメラと識別した際に撮影不可状態と、を備えることを特徴とする交換レンズ。
【請求項２】
撮影不可状態とはフォーカスレンズ群を合焦範囲外に駆動することを特徴とする請求項１に記載の交換レンズ。
【請求項３】
カメラ本体に着脱可能な交換レンズであって、
カメラと通信を行う通信部と、
装着されたカメラが収差補正対応カメラか否かを識別するカメラ識別手段と、
撮影許可スイッチと、
撮影許可スイッチが操作された事を検出するスイッチ検出部と、を備え、
カメラ検出手段が収差補正非対応カメラを検出した際には撮影不可状態となりスイッチ検出部により撮影許可スイッチが操作されたことを検出した際には撮影不可状態を解除し、撮影可能となることを特徴とする交換レンズ。
【請求項４】
レンズ外周部に装着されたカメラが収差補正対応カメラか否か、撮影許可スイッチの操作方法を表示する表示部を持つことを特徴とする請求項１乃至請求項３の何れか一項に記載の交換レンズ。 
【請求項５】
前記撮影許可スイッチは光軸周りに回転操作することによりレンズの焦点距離を変更することができるズームリングであることを特徴とする請求項４に記載の交換レンズ。
【請求項６】
前記撮影許可スイッチは光軸周りに回転操作することによりフォーカス群を駆動させ合焦動作を行うことができるマニュアルフォーカスリングであることを特徴とする請求項４に記載の交換レンズ。 
【請求項７】
前記撮影許可スイッチは被写体位置に応じてレンズが自動でピントを合わせるオートフォーカスモードとマニュアルフォーカスリングの回転操作に応じて手動でピントを合わせるマニュアルフォーカスモードを切り替えるAF/MF切り替えスイッチであることを特徴とする請求項４に記載の交換レンズ。
【請求項８】
前記撮影許可スイッチは光軸方向と直交する面内に移動し、手ぶれを防止する防振ユニットの動作のＯＮ、ＯＦＦを切り替えるIS―ON/OFF切り替えスイッチであることを特徴とする請求項４に記載の交換レンズ。
【発明の詳細な説明】
【技術分野】
【０００１】
本発明は、収差補正に対応した交換レンズに関する。
【背景技術】
【０００２】
一般的に、レンズには、その特性において画面周辺部の被写体像のエッジ部に色がにじんでしまう倍率色収差や、画面中央から外側に向かって膨らんだり凹んだり歪んで見える歪曲収差といった画像を劣化させる要因となる収差がある。
【０００３】
従来は収差が少なくなる光学設計をしていたが、そのためにコストアップやレンズが大型化してしまっていた。
【０００４】
そのため、近年それらの収差を撮影した後に電気的に補正する収差補正機能を備えたカメラシステムが提案されている。
【０００５】
特許文献１には、カメラボディにレンズから送られた光学データに基づいて、生成された画像データを補正するための補正値を算出する算出手段を備えたことで、カメラ内部で収差補正可能なことが提案されている。
【０００６】
特許文献２には、使用用途、条件、及びカメラ特性に応じて、適切なデータをカメラ本体に送ることで様々な状況に応じた適切な収差補正を行うことが提案されている。
【先行技術文献】
【特許文献】
【０００７】
【特許文献１】特開２０１０−１０９６６７号公報
【特許文献２】特開２００８−２７８４６３号公報
【発明の概要】
【発明が解決しようとする課題】
【０００８】
特許文献１、２ともレンズからカメラへ送られたデータを基にカメラが適切な補正を行うことにより、適切な画像を得るものである。しかしながら、撮影者が収差補正することを前提に設計された交換レンズを、収差補正機能を備えていないカメラに知らずに取り付けられた際には、適切な補正が行われず、収差の多く出た画像が意図せず撮影されてしまうおそれがある。
【０００９】
そこで、本発明の目的は、収差補正対応レンズにおいて、収差補正非対応カメラに取り付けられた時、撮影者の意図しない収差の多く出た画像が撮影されないようにした交換レンズを提供することにある。
【課題を解決するための手段】
【００１０】
上記の目的を達成するために、本発明に係る交換レンズは、
カメラ本体に着脱可能な交換レンズであって 、カメラと通信を行う通信部と装着されたカメラが収差補正対応カメラか否かを識別するカメラ識別手段とカメラ識別手段が収差補正非対応カメラと識別した際に撮影不可状態となることを特徴とする。
【発明の効果】
【００１１】
本発明によれば、収差補正対応レンズが、収差補正非対応カメラに取り付けられた時、撮影者の意図しない収差の多く出た画像を撮影できないようにする交換レンズを提供することができる。
【図面の簡単な説明】
【００１２】
【図１】本発明の実施例１の収差補正対応レンズがカメラに装着された時の処理例を示すフローチャートである。
【図２】本発明の実施例による交換レンズとカメラ本体のシステムブロック図である。
【図３】本発明の実施例２収差補正対応レンズがカメラに装着された時の処理例を示すフローチャートである。
【図４】本発明の実施例によるフォーカスの移動範囲および合焦範囲外例を示した図である。
【図５】本発明の実施例３の交換レンズを示した図である。
【図６】本発明の実施例３の収差補正対応レンズがカメラに装着された時の処理例を示すフローチャートである。
【発明を実施するための形態】
【００１３】
以下、本発明を実施するための形態について、図面を参照しながら説明する。
【００１４】
図２を用いて本実施例の光学機器であるところの交換レンズ１００とカメラ本体２００のカメラシステムの電気的構成を示す。
【００１５】
１１はマイクロコンピュータにより構成されるカメラＣＰＵである。カメラＣＰＵ１１は、カメラ本体２００内の各部の動作を制御する。また、カメラＣＰＵ１１は、レンズ鏡筒１００の装着時にはレンズ側接点２とカメラ側接点１９を介して、レンズ鏡筒１００内に設けられたレンズＣＰＵ１との通信を行う。レンズＣＰＵ１はカメラＣＰＵ１１からカメラ情報を受信し、カメラ識別部３により装着されたカメラ２００が収差補正対応カメラか否かを識別する。収差補正対応カメラとは、交換レンズ１００を通して得られた画像から、歪曲収差、倍率色収差等の各種収差を電気的に補正する機能が設けられたカメラである。
【００１６】
１２は撮影者により操作可能な電源スイッチであり、カメラＣＰＵ１１を起動したりカメラシステム内の各アクチュエータやセンサ等への電源供給を開始したりするためのスイッチである。１３は撮影者により操作可能なレリーズスイッチであり、第１ストロークスイッチ（ＳＷ１）と第２ストロークスイッチ（ＳＷ２）とを有する。レリーズスイッチ１３からの信号は、カメラＣＰＵ１１に入力される。カメラＣＰＵ１１は、第１ストロークスイッチ（ＳＷ１）からのＯＮ信号の入力に応じて、撮影準備状態に入る。
【００１７】
撮影準備状態では、測光部１４による被写体輝度の測定と、焦点検出部１５によって焦点検出を行わせる。カメラＣＰＵ１１は、測光結果に基づいて絞りユニットの絞り値や撮像素子の露光量（シャッタ秒時）等を演算する。また、カメラＣＰＵ１１は、焦点検出部１５による撮影光学系の焦点状態の検出結果である焦点情報（デフォーカス量およびデフォーカス方向）に基づいて、被写体に対する合焦状態を得るためフォーカス鏡筒の駆動量（駆動方向を含む）を決定する。上記駆動量の情報（フォーカスレンズ駆動量情報）は、レンズＣＰＵ１に送信される。レンズＣＰＵ１は、交換レンズ１００の各構成部の動作を制御する。
【００１８】
さらに、カメラＣＰＵ１１は、所定の撮影モードになると、ＩＳ群ユニットのシフト駆動、つまりは防振動作の制御を開始する。第２ストロークスイッチ（ＳＷ２）からのＯＮ信号が入力されると、カメラＣＰＵ１１は、レンズＣＰＵ１に対して絞り駆動命令を送信し、絞りユニットを先に演算した絞り値に設定させる。また、カメラＣＰＵ１１は、露光部１６に露光開始命令を送信し、不図示のミラーの退避動作や不図示のシャッタの開放動作を行わせ、撮像素子を含む撮像部１７にて、被写体像の光電変換、すなわち露光動作を行わせる。
【００１９】
撮像部１７からの撮像信号は、カメラＣＰＵ１１内の信号処理部にてデジタル変換され、さらに各種補正処理が施されて画像信号として出力される。画像信号（データ）は、画像記録部１８において、フラッシュメモリ等の半導体メモリ、磁気ディスク、光ディスク等の記録媒体に記録保存される。
【００２０】
５はＭＦリング回転検出部であり、マニュアルフォーカスリングユニットとその回転検出部とを含む。６はＺＯＯＭリング回転検出部であり、マニュアルズームリングとその回転検出を行う不図示のセンサとを含む。７はＩＳ駆動部であり、防振動作を行うＩＳユニットの駆動アクチュエータとその駆動回路とを含む。９はフォーカス駆動部であり、カメラＣＰＵ１から送信されたフォーカスレンズ駆動量情報に応じてフォーカスモータを通じてフォーカス鏡筒のフォーカス駆動を行う。
【００２１】
８は電磁絞り駆動部であり、カメラＣＰＵ１１からの絞り駆動命令を受けたレンズＣＰＵ１により制御されて、絞りユニットを指定された絞り値に相当する開口状態に動作させる。１０は交換レンズ１００に搭載され、プリント基板に接続された角速度センサである。角速度センサ１０は、カメラシステムの角度振れである縦（ピッチ方向）振れと横（ヨー方向）振れのそれぞれの角速度を示す角速度信号をレンズＣＰＵ１に出力する。レンズＣＰＵ１は、角速度センサ１０らのピッチ方向およびヨー方向の角速度信号を電気的又は機械的に積分して、それぞれの方向での変位量であるピッチ方向振れ量及びヨー方向振れ量（これらをまとめて角度振れ量ともいう）を演算する。
【００２２】
そしてレンズＣＰＵ１は、上述した角度振れ量と平行振れ量の合成変位量に基づいてＩＳ駆動部７を制御してＩＳユニットをシフト駆動させ、角度振れ補正および平行振れ補正を行う。また、レンズＣＰＵ１は、ピント振れ量に基づいてフォーカス駆動部９を制御してフォーカス鏡筒を光軸方向に駆動させ、ピント振れ補正を行う。
【００２３】
次に、図１を用いてカメラ２００に交換レンズ１００が装着された時の交換レンズ１００およびカメラ２００の制御について説明する。
【００２４】
先ず電源ONされると、レンズとカメラとの間で通信処理が行われる。通信確立が確認されると、カメラ側からレンズにカメラのＩＤが送られる（ステップＳ１）。
【００２５】
カメラ識別部３は送られたカメラのＩＤが収差補正対応カメラか否かを識別する（ステップＳ２）。
【００２６】
カメラ識別部３が装着されたカメラ２００が収差補正対応カメラで有ることを認識した場合（ステップＳ２でＹｅｓの場合）、レンズ１００からカメラ２００に対して収差補正データが送られる（ステップＳ３）。
【００２７】
次に第１ストロークスイッチ（ＳＷ１）がＯＮか検査する（ステップＳ５）。
【００２８】
第１ストロークスイッチ（ＳＷ１）がＯＮでない場合（ステップＳ５でＮｏの場合）、第１ストロークスイッチ（ＳＷ１）がＯＮか検査する（ステップＳ５）を繰り返す。第１ストロークスイッチ（ＳＷ１）がＯＮの場合（ステップＳ５でＹｅｓの場合）撮影準備状態に入る（ステップＳ６）。
【００２９】
次に、第２ストロークスイッチ（ＳＷ２）がＯＮか検査する（ステップＳ７）。
【００３０】
第２ストロークスイッチ（ＳＷ２）がＯＮでない場合は（ステップＳ７でＮｏの場合）、第１ストロークスイッチ（ＳＷ１）がＯＮか検査する（ステップＳ５）を繰り返す。第２ストロークスイッチ（ＳＷ２）がＯＮの場合は（ステップＳ７でＹｅｓの場合）露光動作を開始する（ステップＳ８）。
【００３１】
次に撮像素子より得られた画像データはステップ３で得られた収差補正データを元に各種補正処理が行われる（ステップＳ９）。
【００３２】
次にステップＳ９で補正された画像データは記憶媒体に記録保存される（ステップＳ１０）。
【００３３】
その後は電源がＯＮの場合（ステップＳ１１でＹｅｓの場合）はステップＳ５の、第１ストロークスイッチ（ＳＷ１）がＯＮか検査するステップに戻る。電源がＯＦＦの場合（ステップＳ１１でＮｏの場合）は終了となる。
【００３４】
カメラ識別部３が装着されたカメラ２００が収差補正非対応カメラで有ることを認識した場合（ステップＳ２でＮｏの場合）、レンズＣＰＵ１が撮影不可状態となる命令を出す（ステップＳ４）。
【００３５】
撮影不可状態となる命令とは、レンズＣＰＵ１からフォーカス駆動部９に対してフォーカス鏡筒を合焦範囲外の位置に駆動させる駆動命令を送信することである。
【００３６】
図４を用いて、フォーカス鏡筒を合焦範囲外に移動させることを説明する。
【００３７】
図４は各ズームポジションにおけるフォーカス鏡筒の移動範囲を表した模式図である。横軸が被写体距離、縦軸がズームポジションである。被写体側の移動範囲端はＷＩＤＥの無限位置、物体側の移動範囲端はＴＥＬＥの至近位置となっている。図４の実線で示した部分が各ズームポジションにおける合焦位置、破線で示した部分が合焦範囲外の位置である。例えばＷＩＤＥ時は至近端よりさらに物体側に動かした位置、ＴＥＬＥ時は無限端よりさらに被写体側に動かした位置が合焦範囲外の位置である。
【００３８】
合焦範囲外の位置とは、フォーカス移動範囲内の各ズームポジションにおいては使用しない範囲であり、フォーカス移動範囲外に別途合焦範囲外領域を設けるわけではない。そのためフォーカスの移動範囲が広がり、レンズが大型化するようなことはない。ＳＷ１からのＯＮ信号の入力があってもフォーカス駆動部９に対してフォーカス鏡筒を合焦範囲外に駆動させる駆動命令を送信し続けるため合焦せず撮影不可能となる。また撮影不可状態とは単純にカメラＣＰＵとの通信をＯＦＦするだけでも良い。上記のように収差補正対応レンズを収差補正非対応カメラに取り付けた時の撮影不可状態にすることで、収差補正されていない収差の多く出た写真が誤って撮られてしまうことは無い。
【００３９】
［実施例２］
次に図２、図３を用いて実施例２の説明をする。
【００４０】
先ず電源ONされると、レンズとカメラとの間で通信処理が行われる。通信確立が確認されると、カメラ側からレンズにカメラのＩＤが送られる（ステップＳ１）。
【００４１】
カメラ識別部３は送られたカメラのＩＤが収差補正対応カメラか否かを識別する（ステップＳ２）。
【００４２】
カメラ識別部３が装着されたカメラ２００が収差補正対応カメラで有ることを認識した場合（ステップＳ２でＹｅｓの場合）、レンズ１００からカメラ２００に対して収差補正データが送られる（ステップＳ３）。
【００４３】
次に第１ストロークスイッチ（ＳＷ１）がＯＮか検査する（ステップＳ５）。
【００４４】
第１ストロークスイッチ（ＳＷ１）がＯＮでない場合（ステップＳ５でＮｏの場合）、第１ストロークスイッチ（ＳＷ１）がＯＮか検査する（ステップＳ５）を繰り返す。第１ストロークスイッチ（ＳＷ１）がＯＮの場合（ステップＳ５でＹｅｓの場合）撮影準備状態に入る（ステップＳ６）。
【００４５】
次に、第２ストロークスイッチ（ＳＷ２）がＯＮか検査する（ステップＳ７）。
【００４６】
第２ストロークスイッチ（ＳＷ２）がＯＮでない場合は（ステップＳ７でＮｏの場合）、第１ストロークスイッチ（ＳＷ１）がＯＮか検査する（ステップＳ５）を繰り返す。第２ストロークスイッチ（ＳＷ２）がＯＮの場合は（ステップＳ７でＹｅｓの場合）露光動作を開始する（ステップＳ８）。
【００４７】
次に撮像素子より得られた画像データはステップ３で得られた収差補正データを元に各種補正処理が行われる（ステップＳ９）。
【００４８】
次にステップＳ９で補正された画像データは記憶媒体に記録保存される（ステップＳ１０）。
【００４９】
その後は電源がＯＮの場合（ステップＳ１１でＹｅｓの場合）はステップＳ５の、第１ストロークスイッチ（ＳＷ１）がＯＮか検査するステップに戻る。電源がＯＦＦの場合（ステップＳ１１でＮｏの場合）は終了となる。
【００５０】
カメラ識別部３が装着されたカメラ２００が収差補正非対応カメラで有ることを認識した場合（ステップＳ２でＮｏの場合）、レンズＣＰＵ１からの命令によりフォーカス駆動部９がフォーカス鏡筒を合焦範囲外の位置に駆動させる（ステップＳ４０）。
【００５１】
合焦範囲外の位置とは、ＷＩＤＥの至近端よりさらに先、またはＴＥＬＥの無限端よりさらに先の位置で通常撮影時には使用していない範囲である。上記のように合焦範囲外の位置とは、フォーカス移動範囲内の各ズームポジションにおいては使用しない範囲であり、フォーカス移動範囲外に別途合焦範囲外領域を設けるわけではない。
【００５２】
そのためフォーカスの移動範囲が広がり、レンズが大型化するようなことはない。ＳＷ１からのＯＮ信号の入力があってもフォーカス駆動部９に対してフォーカス鏡筒を合焦範囲外に駆動させる駆動命令を送信し続けるため合焦せず撮影不可能となる。上記のように収差補正対応レンズを収差補正非対応カメラに取り付けた時の撮影不可状態にすることで、収差補正されていない収差の多く出た写真が誤って撮られてしまうことは無い。
【００５３】
次にスイッチ検出部４により撮影許可スイッチが所定の動作をされたか否か検出する（ステップＳ４１）。
【００５４】
撮影許可スイッチが所定の動作をされたことを検出した場合（ステップＳ４１でＹｅｓの場合）はフォーカス鏡筒を合焦範囲外の位置に駆動させる駆動命令が解除され、フォーカス鏡筒は合焦位置に移動させる（ステップＳ４２）。
【００５５】
スイッチ検出部４により一定時間内に撮影許可スイッチの所定の動作が検出できなかった場合はカメラとの通信をＯＦＦとする（ステップＳ４４）。
【００５６】
撮影許可スイッチとはマニュアルフォーカスリング、マニュアルズームリング、ＡＦ/ＭＦ切り替えスイッチ、ＩＳのＯＮ/ＯＦＦ切り替えスイッチ等のレンズに設けられた各種スイッチのいずれかである。
【００５７】
スイッチの所定の動作とは、例えばマニュアルフォーカスリングを一定時間内に１回以上回転させる。マニュアルズームリングをワイド端からテレ端まで一定時間内に１回以上往復動作させる。ＡＦ／ＭＦ切り替えスイッチを一定時間内に２回以上切り替える。ＩＳのＯＮ/ＯＦＦ切り替えスイッチを一定時間内に２回以上切り替える等である。
【００５８】
次に第１ストロークスイッチ（ＳＷ１）がＯＮか検査する（ステップＳ４３）。
【００５９】
第１ストロークスイッチ（ＳＷ１）がＯＮでない場合（ステップＳ４３でＮｏの場合）、第１ストロークスイッチ（ＳＷ１）がＯＮか検査する（ステップＳ４３）を繰り返す。第１ストロークスイッチ（ＳＷ１）がＯＮの場合（ステップＳ４３でＹｅｓの場合）撮影準備状態に入る（ステップＳ４５）。
【００６０】
次に、第２ストロークスイッチ（ＳＷ２）がＯＮか検査する（ステップＳ４６）。
【００６１】
第２ストロークスイッチ（ＳＷ２）がＯＮでない場合は（ステップＳ４６でＮｏの場合）、第１ストロークスイッチ（ＳＷ１）がＯＮか検査する（ステップＳ４３）を繰り返す。第２ストロークスイッチ（ＳＷ２）がＯＮの場合は（ステップＳ４６でＹｅｓの場合）露光動作を開始する（ステップＳ４７）。
【００６２】
次に撮像素子より画像データが取得される（ステップＳ４８）。
【００６３】
この時、カメラは収差補正非対応のため収差補正は行われない。
【００６４】
次にステップＳ４８で補正された画像データは記憶媒体に記録保存される（ステップＳ４９）。
【００６５】
その後は電源がＯＮの場合（ステップＳ５０でＹｅｓの場合）はステップＳ４３の、第１ストロークスイッチ（ＳＷ１）がＯＮか検査するステップに戻る。電源がＯＦＦの場合（ステップＳ５０でＮｏの場合）は終了となる。
【００６６】
上記のように収差補正非対応カメラに装着された時でも撮影者が意図した操作をした時に限り、撮影できるようにしたことで、全てのカメラで収差補正対応レンズが使用できるようになる。
【００６７】
［実施例３］
次に実施例３のレンズについて図５を用いて説明する。３０１がマニュアルズームリング、３０２がマニュアルフォーカスリング、３０３がＡＦ／ＭＦ切り替えスイッチ、３０４がＩＳのＯＮ/ＯＦＦスイッチ、３０５がレンズ情報表示部である。レンズ表示部にはレンズの焦点距離、ＦＮｏ．、ＩＳＯ感度など撮影時に撮影者が設定した数値や、後述するレンズ３０１がカメラに取り付けられた時際にカメラが収差補正対応か否か、撮影許可するか否か等のメッセージが表示される。
【００６８】
次に図５を用いて収差補正対応レンズ３００がカメラ２００に装着された際の流れについて説明する。先ず電源ONされると、レンズとカメラとの間で通信処理が行われる。通信確立が確認されると、カメラ側からレンズにカメラのＩＤが送られる（ステップＳ１）。
【００６９】
カメラ識別部３は送られたカメラのＩＤが収差補正対応カメラか否かを識別する（ステップＳ２）。
【００７０】
カメラ識別部３が装着されたカメラ２００が収差補正対応カメラで有ることを認識した場合（ステップＳ２でＹｅｓの場合）、レンズ１００からカメラ２００に対して収差補正データが送られる（ステップＳ３）。
【００７１】
次に第１ストロークスイッチ（ＳＷ１）がＯＮか検査する（ステップＳ５）。第１ストロークスイッチ（ＳＷ１）がＯＮでない場合（ステップＳ５でＮｏの場合）、第１ストロークスイッチ（ＳＷ１）がＯＮか検査する（ステップＳ５）を繰り返す。
【００７２】
第１ストロークスイッチ（ＳＷ１）がＯＮの場合（ステップＳ５でＹｅｓの場合）撮影準備状態に入る（ステップＳ６）。
【００７３】
次に、第２ストロークスイッチ（ＳＷ２）がＯＮか検査する（ステップＳ７）。
【００７４】
第２ストロークスイッチ（ＳＷ２）がＯＮでない場合は（ステップＳ７でＮｏの場合）、第１ストロークスイッチ（ＳＷ１）がＯＮか検査する（ステップＳ５）を繰り返す。第２ストロークスイッチ（ＳＷ２）がＯＮの場合は（ステップＳ７でＹｅｓの場合）露光動作を開始する（ステップＳ８）。
【００７５】
次に撮像素子より得られた画像データはステップ３で得られた収差補正データを元に各種補正処理が行われる（ステップＳ９）。
【００７６】
次にステップＳ９で補正された画像データは記憶媒体に記録保存される（ステップＳ１０）。
【００７７】
その後は電源がＯＮの場合（ステップＳ１１でＹｅｓの場合）はステップＳ５の、第１ストロークスイッチ（ＳＷ１）がＯＮか検査するステップに戻る。電源がＯＦＦの場合（ステップＳ１１でＮｏの場合）は終了となる。
【００７８】
カメラ識別部３が装着されたカメラ２００が収差補正非対応カメラで有ることを認識した場合（ステップＳ２でＮｏの場合）、レンズＣＰＵ１からの命令によりフォーカス駆動部９がフォーカス鏡筒を合焦範囲外の位置に駆動させる（ステップＳ４０）。
【００７９】
合焦範囲外の位置とは、フォーカス移動範囲内の各ズームポジションにおいては使用しない範囲であり、フォーカス移動範囲外に別途合焦範囲外領域を設けるわけではない。そのためフォーカスの移動範囲が広がり、レンズが大型化するようなことはない。ＳＷ１からのＯＮ信号の入力があってもフォーカス駆動部９に対してフォーカス鏡筒を合焦範囲外に駆動させる駆動命令を送信し続けるため合焦せず撮影不可能となる。
【００８０】
上記のように収差補正対応レンズを収差補正非対応カメラに取り付けた時の撮影不可状態にすることで、収差補正されていない収差の多く出た写真が誤って撮られてしまうことは無い。また、表示部に３０５に撮影不可であることと、撮影を許可する場合の不可状態解除方法を表示する（ステップＳ４０１）。
【００８１】
例えば以下のような表示をする。
【００８２】
“収差補正非対応カメラに装着されています。撮影を許可する場合はマニュアルフォーカスリングを１回転させてください。撮影を許可しない場合は収差補正対応カメラと交換してください”
撮影許可動作としてマニュアルフォーカスリング３０２を１回転させることとしたが、マニュアルズームリング３０１、ＡＦ／ＭＦ切り替えスイッチ３０３、ＩＳのＯＮ/ＯＦＦ切り替えスイッチ３０４の任意の動作をすることで撮影許可とするでも良い。
【００８３】
次にスイッチ検出部４により撮影許可スイッチが上記表示部に表示された所定の動作をされたか否か検出する（ステップＳ４１）。
【００８４】
撮影許可スイッチが所定の動作をされたことを検出した場合は（ステップＳ４１でＹｅｓの場合）、フォーカス鏡筒を合焦範囲外の位置に駆動させる駆動命令が解除され、フォーカス鏡筒は合焦位置に移動させる（ステップＳ４２）。
【００８５】
また、レンズ情報表示部３０５には撮影が許可された事を伝える表示がされる（ステップＳ４２１）。次に第１ストロークスイッチ（ＳＷ１）がＯＮか検査する（ステップＳ４３）。
【００８６】
第１ストロークスイッチ（ＳＷ１）がＯＮでない場合（ステップＳ４３でＮｏの場合）、第１ストロークスイッチ（ＳＷ１）がＯＮか検査する（ステップＳ４３）を繰り返す。第１ストロークスイッチ（ＳＷ１）がＯＮの場合（ステップＳ４３でＹｅｓの場合）撮影準備状態に入る（ステップＳ４５）。
【００８７】
次に、第２ストロークスイッチ（ＳＷ２）がＯＮか検査する（ステップＳ４６）。第２ストロークスイッチ（ＳＷ２）がＯＮでない場合は（ステップＳ４６でＮｏの場合）、第１ストロークスイッチ（ＳＷ１）がＯＮか検査する（ステップＳ４３）を繰り返す。
【００８８】
第２ストロークスイッチ（ＳＷ２）がＯＮの場合は（ステップＳ４６でＹｅｓの場合）露光動作を開始する（ステップＳ４７）。
【００８９】
次に撮像素子より画像データが取得される（ステップＳ４８）。この時、カメラは収差補正非対応のため収差補正は行われない。
【００９０】
次にステップＳ４８で補正された画像データは記憶媒体に記録保存される（ステップＳ４９）。その後は電源がＯＮの場合（ステップＳ５０でＹｅｓの場合）はステップＳ４３の、第１ストロークスイッチ（ＳＷ１）がＯＮか検査するステップに戻る。電源がＯＦＦの場合（ステップＳ５０でＮｏの場合）は終了となる。
【００９１】
スイッチ検出部４により一定時間内に撮影許可スイッチの所定の動作が検出できなかった場合は（ステップＳ４１でＮｏの場合）、カメラとの通信をＯＦＦとする（ステップＳ４４）。
【００９２】
上記のように収差補正非対応カメラに装着された時でも撮影者が意図した操作をした時に限り、撮影できるようにしたことで、全てのカメラで収差補正対応レンズが使用できるようになる。
【符号の説明】
【００９３】
１  レンズＣＰＵ、２  レンズ側接点、３  カメラ識別部、４  スイッチ検出部、
９  フォーカス駆動部、１９  カメラ側接点、１００  レンズ、２００  カメラ、
３０５  レンズ情報表示部
【図１】
2018005130.tif 000003
【図２】
2018005130.tif 000004
【図３】
2018005130.tif 000005
【図４】
2018005130.tif 000006
【図５】
2018005130.tif 000007
【図６】
2018005130.tif 000008